(57)【要約】【課題】画像記録媒体に記録されたイメージデータと画像記録媒体から再生されたイメージデータとの同一性の客観的な確認を可能にする。【解決手段】イメージ生成部１１は、入力された原稿データから、当該原稿データの内容を人間に直接理解可能に表す原稿画像のイメージデータを生成する。特徴データ抽出部１２は、生成されたイメージデータから当該イメージデータの特徴を示す特徴データを抽出する。特徴データ符号化部１３は、抽出された特徴データを符号化して当該特徴データを表す符号画像のイメージデータを生成する。画像合成部１４は、生成されたイメージデータに基づき、原稿画像に符号画像が合成されてなる合成画像のイメージデータを生成する。画像形成装置２０は、合成画像のイメージデータに基づき、原稿画像を符号画像と共に画像記録媒体に形成する。【選択図】図１
2007028529.tif 000002
【特許請求の範囲】
【請求項１】
入力された原稿データから、当該原稿データの内容を人間に直接理解可能に表す原稿画像のイメージデータを生成するイメージ生成部と、
前記イメージ生成部により生成されたイメージデータから、当該イメージデータの特徴を示す特徴データを抽出する特徴データ抽出部と、
前記特徴データ抽出部により抽出された特徴データを符号化して、当該特徴データを表す符号画像のイメージデータを生成する特徴データ符号化部と、
前記イメージ生成部および前記特徴データ符号化部により生成されたイメージデータに基づき、前記原稿画像を前記符号画像と共に画像記録媒体に形成する画像形成部と、
を有することを特徴とする情報記録システム。
【請求項２】
請求項１に記載の情報記録システムであって、
前記特徴データ抽出部は、前記原稿画像の所定の対象領域のイメージデータから、前記特徴データを抽出し、
前記画像形成部は、さらに、前記対象領域を指示する領域指示マークのイメージデータに基づき、前記領域指示マークを画像記録媒体に形成することを特徴とする情報記録システム。
【請求項３】
請求項１または２に記載の情報記録システムであって、
前記イメージ生成部は、前記イメージデータのプレビュー画像を画面上に表示させ、当該プレビュー画像に対する補正操作をユーザから受け付け、当該補正操作に基づいて前記イメージデータを補正することを特徴とする情報記録システム。
【請求項４】
原稿データの内容を人間に直接理解可能に表す原稿画像のイメージデータおよび当該イメージデータから抽出された特徴データを表す符号画像のイメージデータに基づいて前記原稿画像が前記符号画像と共に形成された画像記録媒体から、画像を光学的に読み取って前記原稿画像および前記符号画像の再生イメージデータを生成する画像読取部と、
前記画像読取部により生成された原稿画像の再生イメージデータから、当該再生イメージデータの特徴を示す再生特徴データを抽出する再生特徴データ抽出部と、
前記画像読取部により生成された符号画像の再生イメージデータから、前記特徴データを復号する特徴データ復号部と、
前記再生特徴データ抽出部により抽出された再生特徴データと前記特徴データ復号部により得られた特徴データとを比較し、両者が一致するか否かを判定する比較部と、
を有することを特徴とする情報再生システム。
【請求項５】
請求項４に記載の情報再生システムであって、
前記画像読取部は、前記原稿画像、当該原稿画像の所定の対象領域を指示する領域指示マーク、および前記対象領域のイメージデータから抽出された特徴データを表す符号画像のイメージデータに基づいて、前記原稿画像が前記符号画像および前記領域指示マークと共に形成された画像記録媒体から、再生イメージデータを生成し、
前記再生特徴データ抽出部は、前記領域指示マークで指示される対象領域の再生イメージデータから、前記再生特徴データを抽出することを特徴とする情報再生システム。
【請求項６】
請求項４または５に記載の情報再生システムであって、
前記比較部により両者が一致しないと判定された場合、前記原稿画像の再生イメージデータに所定の画像補正処理を施した上で、再度、再生特徴データを抽出し、当該再生特徴データと前記特徴データとを比較することを特徴とする情報再生システム。
【請求項７】
情報記録システムと情報再生システムとを含む情報記録再生システムであって、
前記情報記録システムは、
入力された原稿データから、当該原稿データの内容を人間に直接理解可能に表す原稿画像のイメージデータを生成するイメージ生成部と、
前記イメージ生成部により生成されたイメージデータから、当該イメージデータの特徴を示す特徴データを抽出する特徴データ抽出部と、
前記特徴データ抽出部により抽出された特徴データを符号化して、当該特徴データを表す符号画像のイメージデータを生成する特徴データ符号化部と、
前記イメージ生成部および前記特徴データ符号化部により生成されたイメージデータに基づき、前記原稿画像を前記符号画像と共に画像記録媒体に形成する画像形成部と、
を有し、
前記情報再生システムは、
前記情報記録システムにより画像形成された画像記録媒体から、画像を光学的に読み取って前記原稿画像および前記符号画像の再生イメージデータを生成する画像読取部と、
前記画像読取部により生成された原稿画像の再生イメージデータから、当該再生イメージデータの特徴を示す再生特徴データを抽出する再生特徴データ抽出部と、
前記画像読取部により生成された符号画像の再生イメージデータから、前記特徴データを復号する特徴データ復号部と、
前記再生特徴データ抽出部により抽出された再生特徴データと前記特徴データ復号部により得られた特徴データとを比較し、両者が一致するか否かを判定する比較部と、
を有する、
ことを特徴とする情報記録再生システム。
【請求項８】
原稿データから、当該原稿データの内容を人間に直接理解可能に表す原稿画像のイメージデータを生成するイメージ生成ステップと、
前記イメージ生成ステップで生成されたイメージデータから、当該イメージデータの特徴を示す特徴データを抽出する特徴データ抽出ステップと、
前記特徴データ抽出ステップで抽出された特徴データを符号化して、当該特徴データを表す符号画像のイメージデータを生成する特徴データ符号化ステップと、
前記イメージ生成ステップおよび前記特徴データ符号化ステップで生成されたイメージデータに基づき、前記原稿画像を前記符号画像と共に画像記録媒体に形成する画像形成ステップと、
を有することを特徴とする情報記録方法。
【請求項９】
原稿データの内容を人間に直接理解可能に表す原稿画像のイメージデータおよび当該イメージデータから抽出された特徴データを表す符号画像のイメージデータに基づいて前記原稿画像が前記符号画像と共に形成された画像記録媒体から、画像を光学的に読み取って前記原稿画像および前記符号画像の再生イメージデータを生成する画像読取ステップと、
前記画像読取ステップで生成された原稿画像の再生イメージデータから、当該再生イメージデータの特徴を示す再生特徴データを抽出する再生特徴データ抽出ステップと、
前記画像読取ステップで生成された符号画像の再生イメージデータから、前記特徴データを復号する特徴データ復号ステップと、
前記再生特徴データ抽出ステップで抽出された再生特徴データと前記特徴データ復号ステップで得られた特徴データとを比較し、両者が一致するか否かを判定する比較ステップと、
を有することを特徴とする情報再生方法。
【請求項１０】
入力された原稿データから、当該原稿データの内容を人間に直接理解可能に表す原稿画像のイメージデータを生成するイメージ生成部と、
前記イメージ生成部により生成されたイメージデータから、当該イメージデータの特徴を示す特徴データを抽出する特徴データ抽出部と、
前記特徴データ抽出部により抽出された特徴データを符号化して、当該特徴データを表す符号画像のイメージデータを生成する特徴データ符号化部と、
前記イメージ生成部および前記特徴データ符号化部により生成されたイメージデータに基づき、前記原稿画像に前記符号画像が合成されてなる合成画像のイメージデータを生成する画像合成部と、
を有することを特徴とする原稿データ処理装置。
【請求項１１】
原稿データの内容を人間に直接理解可能に表す原稿画像のイメージデータおよび当該イメージデータから抽出された特徴データを表す符号画像のイメージデータに基づいて前記原稿画像が前記符号画像と共に形成された画像記録媒体から、画像が光学的に読み取られて生成された前記原稿画像および前記符号画像の再生イメージデータの入力を受ける再生データ入力部と、
前記再生データ入力部に入力された原稿画像の再生イメージデータから、当該再生イメージデータの特徴を示す再生特徴データを抽出する再生特徴データ抽出部と、
前記再生データ入力部に入力された符号画像の再生イメージデータから、前記特徴データを復号する特徴データ復号部と、
前記再生特徴データ抽出部により抽出された再生特徴データと前記特徴データ復号部により得られた特徴データとを比較し、両者が一致するか否かを判定する比較部と、
を有することを特徴とする再生データ処理装置。
【請求項１２】
コンピュータを、
入力された原稿データから、当該原稿データの内容を人間に直接理解可能に表す原稿画像のイメージデータを生成するイメージ生成部、
前記イメージ生成部により生成されたイメージデータから、当該イメージデータの特徴を示す特徴データを抽出する特徴データ抽出部、
前記特徴データ抽出部により抽出された特徴データを符号化して、当該特徴データを表す符号画像のイメージデータを生成する特徴データ符号化部、および、
前記イメージ生成部および前記特徴データ符号化部により生成されたイメージデータに基づき、前記原稿画像に前記符号画像が合成されてなる合成画像のイメージデータを生成する画像合成部、
として機能させることを特徴とする原稿データ処理プログラム。
【請求項１３】
コンピュータを、
原稿データの内容を人間に直接理解可能に表す原稿画像のイメージデータおよび当該イメージデータから抽出された特徴データを表す符号画像のイメージデータに基づいて前記原稿画像が前記符号画像と共に形成された画像記録媒体から、画像が光学的に読み取られて生成された前記原稿画像および前記符号画像の再生イメージデータの入力を受ける再生データ入力部、
前記再生データ入力部に入力された原稿画像の再生イメージデータから、当該再生イメージデータの特徴を示す再生特徴データを抽出する再生特徴データ抽出部、
前記再生データ入力部に入力された符号画像の再生イメージデータから、前記特徴データを復号する特徴データ復号部、および、
前記再生特徴データ抽出部により抽出された再生特徴データと前記特徴データ復号部により得られた特徴データとを比較し、両者が一致するか否かを判定する比較部、
として機能させることを特徴とする再生データ処理プログラム。
【発明の詳細な説明】
【技術分野】
【０００１】
本発明は、デジタルの原稿データから原稿画像のイメージデータを生成し、当該イメージデータに基づいて画像記録媒体に原稿画像を記録する情報記録システム、画像記録媒体からイメージデータを再生する情報再生システム、およびこれらを含む情報記録再生システムに関する。
【背景技術】
【０００２】
デジタルデータには、コンピュータで扱える等の非常に多くのメリットがあるが、保管メディアの寿命が比較的短い、ハード・ソフトに依存する（情報を見るのに専用のハード・ソフトが必要でハード・ソフトが短寿命）、一箇所の傷が全データを破壊する可能性がある、改竄が容易といったデメリットがある。一方、マイクロフィルム等のアナログデータには、コンピュータでそのまま扱えない等のデメリットがあるが、保管メディアの寿命が長い、ハード・ソフトに依存しない、改竄が困難で法的証拠能力がある、といったメリットがある。そこで、近年、アナログとデジタルのハイブリッド化が進んでいる。
【０００３】
アナログ・デジタルハイブリッドシステムにおいて、デジタルデータを直接マイクロフィルムに記録するＣＯＭ(Computer Output Microfilm)システムが知られている（例えば、特許文献１参照）。
【０００４】
図６は、従来のＣＯＭシステムの構成を示すブロック図である。図６において、原稿データ処理装置１０’は、コンピュータで構成されており、入力された長期保存対象のデジタルデータ（原稿データ）から当該原稿データの内容を表す原稿画像のイメージデータを生成し、生成されたイメージデータをフィルムライタ２０’に渡す。フィルムライタ２０’は、受け取ったイメージデータに基づいて原稿画像をマイクロフィルム（以下、適宜「ＭＦ」と称す）に焼き付ける。このように、ＣＯＭシステムでは、デジタルの原稿データがＭＦ化される。なお、ＭＦに記録された原稿画像は例えばフィルムスキャナ３０’によって光学的に読み取られ、ＭＦからイメージデータが再生される。
【０００５】
【特許文献１】特開２００４−２４０９６９号公報
【発明の開示】
【発明が解決しようとする課題】
【０００６】
上記システムにおいて、原稿データが失われた状況では、再生データの再現性を客観的に評価する方法、すなわちＭＦに保存されたデータとＭＦから再生されたデータとの同一性を客観的に確認する方法が無い。そのため、ＭＦの原本性を再生イメージデータが持ち得るかは、その時々の運用基準や作業者の資格等によってしまう。
【０００７】
そこで、本発明は、ＭＦ等の画像記録媒体に記録されたイメージデータと画像記録媒体から再生されたイメージデータとの同一性の客観的な確認を可能にする情報記録システム、情報再生システム、および情報記録再生システムを提供する。
【課題を解決するための手段】
【０００８】
本発明に係る情報記録システムは、入力された原稿データから、当該原稿データの内容を人間に直接理解可能に表す原稿画像のイメージデータを生成するイメージ生成部と、前記イメージ生成部により生成されたイメージデータから、当該イメージデータの特徴を示す特徴データを抽出する特徴データ抽出部と、前記特徴データ抽出部により抽出された特徴データを符号化して、当該特徴データを表す符号画像のイメージデータを生成する特徴データ符号化部と、前記イメージ生成部および前記特徴データ符号化部により生成されたイメージデータに基づき、前記原稿画像を前記符号画像と共に画像記録媒体に形成する画像形成部と、を有することを特徴とする。
【０００９】
本発明の好適な態様では、前記特徴データ抽出部は、前記原稿画像の所定の対象領域のイメージデータから、前記特徴データを抽出し、前記画像形成部は、さらに、前記対象領域を指示する領域指示マークのイメージデータに基づき、前記領域指示マークを画像記録媒体に形成する。
【００１０】
また、本発明の好適な態様では、前記イメージ生成部は、前記イメージデータのプレビュー画像を画面上に表示させ、当該プレビュー画像に対する補正操作をユーザから受け付け、当該補正操作に基づいて前記イメージデータを補正する。
【００１１】
本発明に係る情報再生システムは、原稿データの内容を人間に直接理解可能に表す原稿画像のイメージデータおよび当該イメージデータから抽出された特徴データを表す符号画像のイメージデータに基づいて前記原稿画像が前記符号画像と共に形成された画像記録媒体から、画像を光学的に読み取って前記原稿画像および前記符号画像の再生イメージデータを生成する画像読取部と、前記画像読取部により生成された原稿画像の再生イメージデータから、当該再生イメージデータの特徴を示す再生特徴データを抽出する再生特徴データ抽出部と、前記画像読取部により生成された符号画像の再生イメージデータから、前記特徴データを復号する特徴データ復号部と、前記再生特徴データ抽出部により抽出された再生特徴データと前記特徴データ復号部により得られた特徴データとを比較し、両者が一致するか否かを判定する比較部と、を有することを特徴とする。
【００１２】
本発明の好適な態様では、前記画像読取部は、前記原稿画像、当該原稿画像の所定の対象領域を指示する領域指示マーク、および前記対象領域のイメージデータから抽出された特徴データを表す符号画像のイメージデータに基づいて、前記原稿画像が前記符号画像および前記領域指示マークと共に形成された画像記録媒体から、再生イメージデータを生成し、前記再生特徴データ抽出部は、前記領域指示マークで指示される対象領域の再生イメージデータから、前記再生特徴データを抽出する。
【００１３】
また、本発明の好適な態様では、前記比較部により両者が一致しないと判定された場合、前記原稿画像の再生イメージデータに所定の画像補正処理を施した上で、再度、再生特徴データを抽出し、当該再生特徴データと前記特徴データとを比較する。
【００１４】
本発明に係る情報記録再生システムは、情報記録システムと情報再生システムとを含み、前記情報記録システムは、入力された原稿データから、当該原稿データの内容を人間に直接理解可能に表す原稿画像のイメージデータを生成するイメージ生成部と、前記イメージ生成部により生成されたイメージデータから、当該イメージデータの特徴を示す特徴データを抽出する特徴データ抽出部と、前記特徴データ抽出部により抽出された特徴データを符号化して、当該特徴データを表す符号画像のイメージデータを生成する特徴データ符号化部と、前記イメージ生成部および前記特徴データ符号化部により生成されたイメージデータに基づき、前記原稿画像を前記符号画像と共に画像記録媒体に形成する画像形成部と、を有し、前記情報再生システムは、前記情報記録システムにより画像形成された画像記録媒体から、画像を光学的に読み取って前記原稿画像および前記符号画像の再生イメージデータを生成する画像読取部と、前記画像読取部により生成された原稿画像の再生イメージデータから、当該再生イメージデータの特徴を示す再生特徴データを抽出する再生特徴データ抽出部と、前記画像読取部により生成された符号画像の再生イメージデータから、前記特徴データを復号する特徴データ復号部と、前記再生特徴データ抽出部により抽出された再生特徴データと前記特徴データ復号部により得られた特徴データとを比較し、両者が一致するか否かを判定する比較部と、を有することを特徴とする。
【００１５】
本発明に係る情報記録方法は、原稿データから、当該原稿データの内容を人間に直接理解可能に表す原稿画像のイメージデータを生成するイメージ生成ステップと、前記イメージ生成ステップで生成されたイメージデータから、当該イメージデータの特徴を示す特徴データを抽出する特徴データ抽出ステップと、前記特徴データ抽出ステップで抽出された特徴データを符号化して、当該特徴データを表す符号画像のイメージデータを生成する特徴データ符号化ステップと、前記イメージ生成ステップおよび前記特徴データ符号化ステップで生成されたイメージデータに基づき、前記原稿画像を前記符号画像と共に画像記録媒体に形成する画像形成ステップと、を有することを特徴とする。
【００１６】
本発明に係る情報再生方法は、原稿データの内容を人間に直接理解可能に表す原稿画像のイメージデータおよび当該イメージデータから抽出された特徴データを表す符号画像のイメージデータに基づいて前記原稿画像が前記符号画像と共に形成された画像記録媒体から、画像を光学的に読み取って前記原稿画像および前記符号画像の再生イメージデータを生成する画像読取ステップと、前記画像読取ステップで生成された原稿画像の再生イメージデータから、当該再生イメージデータの特徴を示す再生特徴データを抽出する再生特徴データ抽出ステップと、前記画像読取ステップで生成された符号画像の再生イメージデータから、前記特徴データを復号する特徴データ復号ステップと、前記再生特徴データ抽出ステップで抽出された再生特徴データと前記特徴データ復号ステップで得られた特徴データとを比較し、両者が一致するか否かを判定する比較ステップと、を有することを特徴とする。
【００１７】
本発明に係る原稿データ処理装置は、入力された原稿データから、当該原稿データの内容を人間に直接理解可能に表す原稿画像のイメージデータを生成するイメージ生成部と、前記イメージ生成部により生成されたイメージデータから、当該イメージデータの特徴を示す特徴データを抽出する特徴データ抽出部と、前記特徴データ抽出部により抽出された特徴データを符号化して、当該特徴データを表す符号画像のイメージデータを生成する特徴データ符号化部と、前記イメージ生成部および前記特徴データ符号化部により生成されたイメージデータに基づき、前記原稿画像に前記符号画像が合成されてなる合成画像のイメージデータを生成する画像合成部と、を有することを特徴とする。
【００１８】
本発明に係る再生データ処理装置は、原稿データの内容を人間に直接理解可能に表す原稿画像のイメージデータおよび当該イメージデータから抽出された特徴データを表す符号画像のイメージデータに基づいて前記原稿画像が前記符号画像と共に形成された画像記録媒体から、画像が光学的に読み取られて生成された前記原稿画像および前記符号画像の再生イメージデータの入力を受ける再生データ入力部と、前記再生データ入力部に入力された原稿画像の再生イメージデータから、当該再生イメージデータの特徴を示す再生特徴データを抽出する再生特徴データ抽出部と、前記再生データ入力部に入力された符号画像の再生イメージデータから、前記特徴データを復号する特徴データ復号部と、前記再生特徴データ抽出部により抽出された再生特徴データと前記特徴データ復号部により得られた特徴データとを比較し、両者が一致するか否かを判定する比較部と、を有することを特徴とする。
【００１９】
本発明に係る原稿データ処理プログラムは、コンピュータを、入力された原稿データから、当該原稿データの内容を人間に直接理解可能に表す原稿画像のイメージデータを生成するイメージ生成部、前記イメージ生成部により生成されたイメージデータから、当該イメージデータの特徴を示す特徴データを抽出する特徴データ抽出部、前記特徴データ抽出部により抽出された特徴データを符号化して、当該特徴データを表す符号画像のイメージデータを生成する特徴データ符号化部、および、前記イメージ生成部および前記特徴データ符号化部により生成されたイメージデータに基づき、前記原稿画像に前記符号画像が合成されてなる合成画像のイメージデータを生成する画像合成部、として機能させることを特徴とする。
【００２０】
本発明に係る再生データ処理プログラムは、コンピュータを、原稿データの内容を人間に直接理解可能に表す原稿画像のイメージデータおよび当該イメージデータから抽出された特徴データを表す符号画像のイメージデータに基づいて前記原稿画像が前記符号画像と共に形成された画像記録媒体から、画像が光学的に読み取られて生成された前記原稿画像および前記符号画像の再生イメージデータの入力を受ける再生データ入力部、前記再生データ入力部に入力された原稿画像の再生イメージデータから、当該再生イメージデータの特徴を示す再生特徴データを抽出する再生特徴データ抽出部、前記再生データ入力部に入力された符号画像の再生イメージデータから、前記特徴データを復号する特徴データ復号部、および、前記再生特徴データ抽出部により抽出された再生特徴データと前記特徴データ復号部により得られた特徴データとを比較し、両者が一致するか否かを判定する比較部、として機能させることを特徴とする。
【発明の効果】
【００２１】
本発明によれば、ＭＦ等の画像記録媒体に記録されたイメージデータと画像記録媒体から再生されたイメージデータとの同一性の客観的な確認を可能にする情報記録システム、情報再生システム、および情報記録再生システムを提供することができる。
【発明を実施するための最良の形態】
【００２２】
以下、本発明の実施の形態を図面に従って説明する。
【００２３】
［第１の実施の形態］
図１は、本実施の形態に係る情報記録再生システム１０００の構成を示すブロック図である。図１において、情報記録再生システム１０００は、情報記録システム１００および情報再生システム２００を有する。
【００２４】
＜情報記録システムの構成＞
情報記録システム１００は、入力されたデジタルの原稿データから、当該原稿データの内容を表す原稿画像のイメージデータを生成し、当該イメージデータに基づいて画像記録媒体に原稿画像を記録するシステムである。ここで、画像記録媒体は、長期保存性、省スペース性、高解像度、法的証拠能力等の多くのメリットを持つ点より、マイクロフィルム（ＭＦ）であることが好ましく、ここではＭＦである。ただし、画像記録媒体は、光学的に読み取り可能に画像が形成される媒体であれば、紙等の他の媒体であってもよい。図１において、情報記録システム１００は、原稿データ処理装置１０と画像形成装置２０とを備えている。
【００２５】
原稿データ処理装置１０は、原稿データを処理して、画像記録媒体に形成されるべき画像のイメージデータを、画像形成装置２０で取り扱い可能な形式（例えばＴＩＦＦ等のラスタ形式）で生成する装置である。ここでは、原稿データ処理装置１０は、ＣＰＵ、ＲＯＭ、ＲＡＭ、ハードディスク等の外部記憶装置などを含むコンピュータであり、その機能は記憶媒体に格納された原稿データ処理プログラムがＣＰＵに実行されることによって実現される。ただし、原稿データ処理装置１０は、他の構成によって実現されても構わない。図１において、原稿データ処理装置１０は、イメージ生成部１１、特徴データ抽出部１２、特徴データ符号化部１３、および画像合成部１４を有する。
【００２６】
イメージ生成部１１は、入力された原稿データから、当該原稿データの内容を人間に直接理解可能に表す原稿画像のイメージデータを生成する。ここで、原稿データは、外部のコンピュータからネットワークを介して入力されてもよいし、ＣＤ−Ｒやフラッシュメモリ等の可搬性記録媒体を介して入力されてもよいし、原稿データ処理装置１０内の記憶装置から入力されてもよい。原稿データは、ワープロソフトの文書データ、表計算ソフトのデータ、プレゼンテーションソフトのデータ、ＣＡＤデータ、ソフトウェアプログラムなど、人間にとって意味のある画像に変換可能なデジタルデータである。「人間に直接理解可能に表す」とは、人間がそのまま意味内容を読み取ることができる態様で表すこと、すなわち人間にとって意味のある態様で表すことを意味し、文字、記号、図形、あるいは絵、またはこれらの組み合わせによって表すことが含まれる。具体的には、イメージ生成部１１は、ワープロソフトの文書データから文書のイメージデータを、ＣＡＤデータから図面のイメージデータを、ソフトウェアプログラムからプログラムリストのイメージデータを生成する。このように人間に直接理解可能に表すのは、ハード・ソフトへの依存度を小さくする、１箇所のデータの破壊による全データの破壊を回避する等の理由によるものである。イメージ生成部１１は、好ましくは、イメージデータの生成の過程において、イメージデータのプレビュー画像を画面上に表示させ、当該プレビュー画像に対する補正操作をユーザから受け付け、当該補正操作に基づいてイメージデータを補正する機能を備える。
【００２７】
特徴データ抽出部１２は、イメージ生成部１１により生成されたイメージデータから、当該イメージデータの特徴を示す特徴データを抽出する。好適な態様では、特徴データ抽出部１２は、イメージデータに対してハッシュ関数を適用してハッシュ値（ダイジェスト）を算出する。ただし、特徴データは、画像記録媒体に記録されたイメージデータと画像記録媒体から再生されたイメージデータとの同一性の検証を可能にするものであれば、ダイジェスト以外であってもよい。
【００２８】
特徴データ符号化部１３は、特徴データ抽出部１２により抽出された特徴データを符号化して、当該特徴データを表す符号画像のイメージデータを生成する。例えば、特徴データ符号化部１３は、特徴データを表す、ＢＡＳＥ６４符号化画像、バーコード画像、ＱＲコード画像などのイメージデータを生成する。
【００２９】
画像合成部１４は、イメージ生成部１１および特徴データ符号化部１３により生成されたイメージデータに基づき、原稿画像に符号画像が付加されてなる合成画像のイメージデータを生成する。具体的には、画像合成部１４は、ＭＦの１コマ内の所定位置に原稿画像と符号画像とが配置されるように合成画像のイメージデータを生成する。
【００３０】
画像形成装置２０は、画像合成部１４により生成されたイメージデータに基づき、原稿画像を符号画像と共に画像記録媒体に形成する装置である。ここでは、画像形成装置２０は、原稿データ処理装置１０から有線または無線の通信路経由で合成画像のラスタイメージを受け取り、当該ラスタイメージに基づいてＭＦの１コマに合成画像を焼き付けるフィルムライタである。
【００３１】
＜情報再生システムの構成＞
情報再生システム２００は、上記情報記録システム１００により画像形成された画像記録媒体から画像を光学的に読み取ってイメージデータを再生するシステムである。図１において、情報再生システム２００は、画像読取装置３０と再生データ処理装置４０とを備えている。
【００３２】
画像読取装置３０は、画像形成装置２０により合成画像が形成された画像記録媒体から、画像を光学的に読み取って合成画像のイメージデータ（以下、「再生イメージデータ」と称す）を生成する装置である。合成画像には原稿画像および符号画像が含まれるので、画像読取装置３０は、原稿画像および符号画像の再生イメージデータを生成することとなる。ここでは、画像読取装置３０は、ＭＦの画像を光学的に読み取ってラスタイメージを生成するフィルムスキャナである。
【００３３】
再生データ処理装置４０は、画像読取装置３０により生成された再生イメージデータを処理して、画像記録媒体に記録されたイメージデータと画像記録媒体から再生されたイメージデータとの同一性を検証する装置である。ここでは、再生データ処理装置４０は、ＣＰＵ、ＲＯＭ、ＲＡＭ、ハードディスク等の外部記憶装置などを含むコンピュータであり、その機能は記憶媒体に格納された再生データ処理プログラムがＣＰＵに実行されることによって実現される。ただし、再生データ処理装置４０は、他の構成によって実現されても構わない。図１において、再生データ処理装置４０は、再生データ入力部４１、再生特徴データ抽出部４２、特徴データ復号部４３、および比較部４４を有する。
【００３４】
再生データ入力部４１は、画像読取装置３０から有線または無線の通信路経由で合成画像の再生イメージデータの入力を受ける。
【００３５】
再生特徴データ抽出部４２は、再生データ入力部４１に入力された合成画像の再生イメージデータから、原稿画像の再生イメージデータを抽出し、この原稿画像の再生イメージデータから、当該再生イメージデータの特徴を示す再生特徴データを抽出する。ここで、再生特徴データ抽出部４２は、特徴データ抽出部１２が特徴データを抽出する際と同一の規則に従って、再生特徴データを抽出する。好適な態様では、再生特徴データ抽出部４２は、再生イメージデータに対してハッシュ関数（特徴データ抽出部１２と同じもの）を適用してハッシュ値（ダイジェスト）を算出する。
【００３６】
特徴データ復号部４３は、再生データ入力部４１に入力された合成画像の再生イメージデータから、符号画像の再生イメージデータを抽出し、この符号画像の再生イメージデータから特徴データを復号する。
【００３７】
比較部４４は、再生特徴データ抽出部４２により抽出された再生特徴データと特徴データ復号部４３により得られた特徴データとを比較し、両者が一致するか否かを判定する。この判定の結果、両者が一致する場合、画像記録媒体から再生されたイメージデータは画像記録媒体に記録されたイメージデータと同一であると判断することができ、一致しない場合、同一でないと判断することができる。
【００３８】
なお、上記構成において、原稿画像のイメージデータおよび符号画像のイメージデータの解像度は、ＭＦ等の画像記録媒体の解像度やフィルムスキャナの解像度等を考慮して、余裕を持って再現可能な解像度となるように設定されることが好ましい。
【００３９】
以下、上記構成を有する情報記録再生装置１０００の動作について、情報記録システム１００の動作と情報再生システム２００の動作とに分けて具体的に説明する。
【００４０】
＜情報記録システムの動作（ＭＦ作成処理）＞
図２は、本実施の形態に係る情報記録システム１００の動作手順を示すフローチャートである。以下、図２に従って情報記録システム１００の動作について説明する。
【００４１】
イメージ生成部１１は、外部のコンピュータ等から長期保存対象の原稿データＯの入力を受け付ける（Ｓ１１）。ついで、イメージ生成部１１は、入力された原稿データＯから、当該原稿データＯの内容を表す原稿画像のラスタイメージＡを生成する（Ｓ１２）。そして、イメージ生成部１１は、ＭＦによる再現が困難と判定される細線の幅の調整など、ラスタイメージＡに対する補正を行った上で（Ｓ１３）、ラスタイメージＡのプレビュー画像を不図示のディスプレイの画面上に表示させる（Ｓ１４）。この画面上において、イメージ生成部１１は、プレビュー画像に対する補正操作および承認操作をユーザから受け付ける。そして、イメージ生成部１１は、補正操作を受けた場合には（Ｓ１５：ＹＥＳ）、当該補正操作に基づいてラスタイメージＡを補正して（Ｓ１６）、ステップＳ１４に戻る。承認操作を受けた場合には（Ｓ１７：ＹＥＳ）、原稿画像のラスタイメージＡを確定させて、特徴データ抽出部１２および画像合成部１４に渡す（Ｓ１８）。
【００４２】
特徴データ抽出部１２は、イメージ生成部１１からラスタイメージＡを受けると、当該ラスタイメージＡのダイジェストＤを算出し、算出されたダイジェストＤを特徴データ符号化部１３に渡す（Ｓ１９）。
【００４３】
特徴データ符号化部１３は、特徴データ抽出部１２からダイジェストＤを受けると、当該ダイジェストＤを符号化してバーコード画像のラスタイメージＢを生成し、生成されたラスタイメージＢを画像合成部１４に渡す（Ｓ２０）。
【００４４】
画像合成部１４は、イメージ生成部１１から受けた原稿画像のラスタイメージＡと特徴データ符号化部１３から受けたバーコード画像のラスタイメージＢとを合成して、原稿画像にバーコード画像が付加されてなる合成画像のラスタイメージＣを生成する（Ｓ２１）。ここでは、合成画像は、図３に示されるように、ＭＦコマ全域に相当する矩形領域５０において、中央やや上よりの矩形領域５１に原稿画像が配置され、矩形領域５１の下方の矩形領域５２にバーコード画像が配置されてなる。ついで、画像合成部１４は、合成画像のラスタイメージＣを通信路経由で画像形成装置（フィルムライタ）２０に渡す。
【００４５】
画像形成装置２０は、画像合成部１４から合成画像のラスタイメージＣを受けると、当該ラスタイメージＣに基づいて、ＭＦに合成画像を形成する（Ｓ２２）。これにより、図３に示される合成画像がＭＦに記録される。すなわち、原稿データＯの内容を表す原稿画像が、原稿画像のラスタイメージＡから計算されたダイジェストＤのバーコード画像と共に同一のＭＦコマに記録される。これにより、原稿データＯのＭＦ化による長期保存が可能となる。
【００４６】
このように、情報記録システム１００は、長期保存対象のデジタルデータである原稿データＯからラスタイメージＡとそのダイジェストＤを生成し、ダイジェストＤをバーコードで可視化し、ラスタイメージＡに対応する可視像と共にＭＦに保存する。
【００４７】
＜情報再生システムの動作（イメージ再生および検証処理）＞
図４は、本実施の形態に係る情報再生システム２００の動作手順を示すフローチャートである。以下、図４に従って情報再生システム２００の動作について説明する。
【００４８】
画像読取装置（フィルムスキャナ）３０は、上記のとおり情報記録システム１００により合成画像が記録されたＭＦがセットされると、当該ＭＦから画像を光学的に読み取って、合成画像のラスタイメージＣ’を生成する（Ｓ３１）。そして、画像読取装置３０は、生成されたラスタイメージＣ’を通信路経由で再生データ処理装置４０の再生データ入力部４１に渡す。
【００４９】
再生データ入力部４１は、画像読取装置３０からラスタイメージＣ’を受けると、当該ラスタイメージＣ’を再生特徴データ抽出部４２および特徴データ復号部４３に渡す。
【００５０】
再生特徴データ抽出部４２は、再生データ入力部４１からラスタイメージＣ’を受けると、原稿画像の領域５１を領域判定してラスタイメージＣ’から原稿画像のラスタイメージＡ’を抜き出し、このラスタイメージＡ’のダイジェストＤ’を算出し、算出されたダイジェストＤ’を比較部４４に渡す（Ｓ３２）。
【００５１】
特徴データ復号部４３は、再生データ入力部４１からラスタイメージＣ’を受けると、バーコード画像の領域５２を領域判定してラスタイメージＣ’からバーコード画像のラスタイメージＢ’を抜き出し、このラスタイメージＢ’からダイジェストＤを復号し、得られたダイジェストＤを比較部４４に渡す（Ｓ３３）。
【００５２】
比較部４４は、再生特徴データ抽出部４２により算出されたダイジェストＤ’と特徴データ復号部４３により復号されたダイジェストＤとを比較し、両者が一致するか否かを判定する（Ｓ３４）。そして、比較部４４は、一致すると判定した場合には（Ｓ３４：ＹＥＳ）、ダイジェストの検証に成功した旨または再生されたラスタイメージＡ’がＭＦに記録されたラスタイメージＡと同一である旨を画面表示等によりユーザに通知し（Ｓ３５）、一致しないと判定した場合には（Ｓ３４：ＮＯ）、ダイジェストの検証に失敗した旨または再生されたラスタイメージＡ’がＭＦに記録されたラスタイメージＡと同一でない旨をユーザに通知する（Ｓ３６）。これにより、ユーザは、再生データの再現性、原本性、または完全性を認識することができる。
【００５３】
このように、情報再生システム２００は、ＭＦからイメージデータを再生する際、ダイジェストによってデータの同一性を確認する。すなわち、フィルムスキャンによって生成されたラスタイメージをＭＦに保存されたダイジェストで検証する。
【００５４】
以上のとおり、本実施の形態では、原稿データから当該原稿データの内容を人間に直接理解可能に表す原稿画像のイメージデータを生成し、生成されたイメージデータから当該イメージデータの特徴を示す特徴データを抽出し、抽出された特徴データを符号化して当該特徴データを表す符号画像のイメージデータを生成し、生成されたイメージデータに基づいて原稿画像を符号画像と共に画像記録媒体に形成する。このため、本実施の形態によれば、再生時に、画像記録媒体に形成された符号画像から復号される特徴データを用いて、画像記録媒体に記録されたイメージデータと画像記録媒体から再生されたイメージデータとの同一性を客観的に確認することが可能となる。
【００５５】
また、本実施の形態では、原稿画像のイメージデータを生成する際、イメージデータのプレビュー画像を画面上に表示させ、当該プレビュー画像に対する補正操作をユーザから受け付け、当該補正操作に基づいてイメージデータを補正する。このため、本実施の形態によれば、再現が困難な細線の幅の調整などを行うことができ、データの再現性を高めることが可能となる。
【００５６】
また、本実施の形態では、原稿データの内容を人間に直接理解可能に表す原稿画像のイメージデータおよび当該イメージデータから抽出された特徴データを表す符号画像のイメージデータに基づいて原稿画像が符号画像と共に形成された画像記録媒体から、画像を光学的に読み取って原稿画像および符号画像の再生イメージデータを生成し、原稿画像の再生イメージデータから当該再生イメージデータの特徴を示す再生特徴データを抽出し、符号画像の再生イメージデータから上記特徴データを復号し、再生特徴データと特徴データとを比較して両者が一致するか否かを判定する。このため、本実施の形態によれば、比較判定結果に基づいて、画像記録媒体に記録されたイメージデータと画像記録媒体から再生されたイメージデータとの同一性を客観的に確認することができる。
【００５７】
また、ＭＦ化依頼者がＭＦ化業者に原稿データのＭＦ化を依頼した場合において、ＭＦ納品時に本実施の形態の検証を行うこととすれば、原稿データに対する納品物の品質を確認することができる。
【００５８】
［第２の実施の形態］
以下、第２の実施の形態に係る情報記録再生システム２０００について説明する。なお、この情報記録再生システム２０００は上記第１の実施の形態に係る情報記録再生システム１０００と殆ど同じであるので、共通する部分については同一の符号を用い、説明を省略することとする。
【００５９】
＜情報記録システムの構成＞
本実施の形態では、特徴データ抽出部１２は、原稿画像の所定の対象領域のイメージデータから、当該イメージデータの特徴を示す特徴データを抽出する。ここで、上記対象領域は、原稿画像全域であってもよいし、原稿画像内の一部の領域であってもよい。
【００６０】
画像合成部１４は、イメージ生成部１１により生成された原稿画像のイメージデータ、特徴データ符号化部１３により生成された符号画像のイメージデータ、および上記対象領域を指示する領域指示マークのイメージデータに基づき、原稿画像に符号画像および領域指示マークが合成されてなる合成画像のイメージデータを生成する。ここで、領域指示マークのイメージデータは、予め設定されており、例えば情報記録システム１００内の記憶領域に格納されている。
【００６１】
＜情報再生システムの構成＞
再生特徴データ抽出部４２は、画像記録媒体から再生された合成画像の再生イメージデータのうち領域指示マークで指示される対象領域の再生イメージデータから、当該再生イメージデータの特徴を示す再生特徴データを抽出する。
【００６２】
以下、図５を参照しながら、情報記録再生システム２０００の動作について、情報記録システム１００の動作と情報再生システム２００の動作とに分けて具体的に説明する。
【００６３】
＜情報記録システムの動作（ＭＦ作成処理）＞
図１および図５を参照すると、イメージ生成部１１は、原稿データＯから原稿画像６１のラスタイメージＡを生成し、特徴データ抽出部１２および画像合成部１４に渡す。
【００６４】
特徴データ抽出部１２は、ラスタイメージＡから原稿画像６１内の対象領域６２に対応するラスタイメージＡ１を抽出し、このラスタイメージＡ１のダイジェストＤ１を算出して特徴データ符号化部１３に渡す。
【００６５】
特徴データ符号化部１３は、ダイジェストＤ１を符号化してバーコード画像６３のラスタイメージＢ１を生成し、このラスタイメージＢ１を画像合成部１４に渡す。
【００６６】
画像合成部１４は、原稿画像６１のラスタイメージＡと、バーコード画像６３のラスタイメージＢ１と、所定の記憶領域に格納されている対象領域６２を指示するトンボ等の領域指示マーク６４のラスタイメージＭとに基づいて、原稿画像６１にバーコード画像６３および領域指示マーク６４が合成されてなる合成画像６５のラスタイメージＣ１を生成する。より具体的には、図５に示されるように、合成画像６５は、原稿画像６１に領域指示マーク６４が重畳されてなる画像に、バーコード画像６３が近接配置されてなる。画像合成部１４は、合成画像のラスタイメージＣ１を画像形成装置２０に渡す。
【００６７】
画像形成装置２０は、ラスタイメージＣ１に基づいて、図５に示される合成画像をＭＦに形成する。
【００６８】
＜情報再生システムの動作（イメージ再生および検証処理）＞
画像読取装置３０は、合成画像が形成されたＭＦから画像を読み取って、合成画像のラスタイメージＣ１’を生成し、再生データ入力部４１に渡す。
【００６９】
再生データ入力部４１は、ラスタイメージＣ１’を再生特徴データ抽出部４２および特徴データ復号部４３に渡す。
【００７０】
再生特徴データ抽出部４２は、ラスタイメージＣ１’を受けると、領域指示マーク６４を用いて対象領域６２を領域判定し、ラスタイメージＣ１’から対象領域６２のラスタイメージＡ１’を抜き出し、このラスタイメージＡ１’のダイジェストＤ１’を算出して比較部４４に渡す。
【００７１】
特徴データ復号部４３は、ラスタイメージＣ１’からバーコード画像６３のラスタイメージＢ１’を抜き出し、このラスタイメージＢ１’からダイジェストＤ１を復号して比較部４４に渡す。
【００７２】
比較部４４は、ダイジェストＤ１’とダイジェストＤ１とを比較し、両者が一致するか否かを判定する。
【００７３】
以上のとおり、本実施の形態では、原稿画像の所定の対象領域のイメージデータから特徴データを抽出するとともに、当該対象領域を指示する領域指示マークのイメージデータに基づいて、領域指示マークを原稿画像に合成して画像記録媒体に形成する。このため、本実施の形態によれば、再生時に、特徴データを抽出すべき対象領域を領域指示マークによって正確に判定することが可能となり、対象領域の相違による検証の失敗の可能性を低減させることが可能となる。
【００７４】
また、本実施の形態では、原稿画像、当該原稿画像の所定の対象領域を指示する領域指示マーク、および対象領域のイメージデータから抽出された特徴データを表す符号画像のイメージデータに基づいて、原稿画像が符号画像および領域指示マークと共に形成された画像記録媒体から、再生イメージデータを生成し、領域指示マークで指示される対象領域の再生イメージデータから再生特徴データを抽出する。このため、本実施の形態によれば、記録時における特徴データ抽出の対象領域を正確に判定し、判定された対象領域から再生特徴データを抽出することができ、対象領域の相違による検証の失敗の可能性を低減させることができる。
【００７５】
なお、本発明は、上記実施の形態に限定されるものではなく、本発明の要旨を逸脱しない範囲内で種々変更することができる。例えば、原稿データ処理装置１０の機能の一部または全部は、画像形成装置２０により実現されてもよい。同様に、再生データ処理装置４０の機能の一部または全部は、画像読取装置３０により実現されてもよい。
【００７６】
また、再生データ処理装置４０は、比較部４４により特徴データが一致しないと判定された場合、原稿画像の再生イメージデータに所定の画像補正処理を施した上で、再度、再生特徴データを抽出し、当該再生特徴データと特徴データとを比較するように構成されてもよい。ここで、所定の画像補正処理としては、フィルムの傷や汚れなどで混入したノイズをノイズ除去プログラムで除去する補正や、エッジ補正プログラムによるエッジの補正などが挙げられる。この構成によれば、長期保存等で混入したノイズを除去した上で、再度検証を行うことができ、ノイズによる検証の失敗を回避することが可能となる。なお、上記の画像補正処理は、再生データ処理装置４０が自動的に行う自動補正であってもよいし、ユーザが画面を見ながら手動で行う手動補正であってもよい。
【図面の簡単な説明】
【００７７】
【図１】実施の形態に係る情報記録再生システムの構成を示すブロック図である。
【図２】情報記録システムの動作手順を示すフローチャートである。
【図３】第１の実施の形態における合成画像の一例を示す図である。
【図４】情報再生システムの動作手順を示すフローチャートである。
【図５】第２の実施の形態における合成画像の一例を示す図である。
【図６】従来のＣＯＭシステムの構成を示すブロック図である。
【符号の説明】
【００７８】
１０  原稿データ処理装置、１１  イメージ生成部、１２  特徴データ抽出部、１３  特徴データ符号化部、１４  画像合成部、２０  画像形成装置、３０  画像読取装置、４０  再生データ処理装置、４１  再生データ入力部、４２  再生特徴データ抽出部、４３  特徴データ復号部、４４  比較部、１００  情報記録システム、２００  情報再生システム、１０００  情報記録再生システム。
【図１】
2007028529.tif 000003
【図２】
2007028529.tif 000004
【図３】
2007028529.tif 000005
【図４】
2007028529.tif 000006
【図５】
2007028529.tif 000007
【図６】
2007028529.tif 000008